(57)【要約】【課題】ヘルメットにおいてスクリーンの配置位置の調整を容易とすることのできるスクリーン装置、及び当該スクリーン装置を備えたヘルメットを提供する。【解決手段】スクリーン装置３０は、ヘルメットで投影される画像をヘルメットで映すコンバイナ６０と、ヘルメットの外側シェルに取り付けられるとともに、コンバイナ６０をヘルメットに対して上下方向に相対移動可能にする上下移動機構３１とを備える。上下移動機構３１は、コンバイナ６０をヘルメットの開口部１２Ａで上下移動可能に、かつ、上下方向に対するコンバイナ６０の傾きを変更可能に、コンバイナ６０を支持する。【選択図】図２
2020100906.tif 000002
【特許請求の範囲】
【請求項１】
ヘルメットで投影された画像を前記ヘルメットで映すコンバイナと、
前記ヘルメットのシェルに取り付けられるとともに、前記コンバイナを上下方向に移動可能に、かつ、上下方向に対する前記コンバイナの傾きを変更可能に、前記コンバイナを支持する上下移動機構と、を備える
スクリーン装置。
【請求項２】
前記上下移動機構は、前記ヘルメットの外側シェルに固定される本体部と、前記本体部に対して相対的に上下移動する支持部とを備え、
前記コンバイナは、被支持部が前記支持部に支持される
請求項１に記載のスクリーン装置。
【請求項３】
前記支持部は、前記支持部が上下移動する各位置で前記傾きを変更可能に前記コンバイナを支持する
請求項２に記載のスクリーン装置。
【請求項４】
前記コンバイナが着用者の視野に入る姿勢が、前記コンバイナの第１姿勢であり、
前記コンバイナが着用者の視野に入らない姿勢が、前記コンバイナの第２姿勢であり、
前記支持部は、前記被支持部を前記支持部に対してスライド移動させて前記傾きを変更し、当該傾きの変更に伴って、前記第１姿勢と前記第２姿勢との間で前記コンバイナの姿勢を変更する
請求項２又は３に記載のスクリーン装置。
【請求項５】
前記本体部は、前記支持部を上下移動可能に挿通する通路を備え、前記通路における段階的な位置で前記支持部を固定するラッチ機構を収納し、
前記上下移動機構は、前記ラッチ機構に対する外部操作で前記支持部の上下移動を可能にする
請求項４に記載のスクリーン装置。
【請求項６】
前記支持部は、第１位置から、前記第１位置の後側下方である第２位置に向けて延びる弧状のレールを備え、
前記被支持部は、前記レールと係合し、かつ、前記第１位置と前記第２位置との間を前記レールの延在方向に沿ってスライド可能に構成され、
前記被支持部が前記第１位置に位置するとき、前記コンバイナが前記第１姿勢を有し、
前記被支持部が前記第２位置に位置するとき、前記コンバイナが前記第２姿勢を有する
請求項４又は５に記載のスクリーン装置。
【請求項７】
画像を投影する投影部と、
前記投影部が投影した画像を着用者の視野に映すスクリーン装置と、を備え、
前記スクリーン装置が請求項１〜６のいずれか一項に記載のスクリーン装置である
ヘルメット。
【発明の詳細な説明】
【技術分野】
【０００１】
本発明は、画像が投影されるスクリーン装置、及び当該スクリーン装置の設けられたヘルメットに関する。
【背景技術】
【０００２】
従来、二輪車用ヘルメットの内部に設けられていて、運行関連情報を虚像として表示させるヘッドマウンテッドディスプレイ（ＨＭＤ）が知られている。ＨＭＤは、ヘルメットの内部に設けたディスプレイ（表示装置）の出射する画像表示光を、シールドで反射することにより、運転者の眼に導くようにしている。運転者は、ＨＭＤを備えたヘルメットを着用することにより、二輪車を運転するときには、車速等の車両情報や、ナビゲーションシステムによる地図情報や、警告情報等を、前方を向いたまま見ることができるようになる。その結果、運転者は、過剰な視線移動や姿勢変動、例えば二輪車のハンドルに設置されたメータパネルを見るために下方を向くといった動作が抑制されるので、運転の安定化を図ることができる。例えば、ナビゲーションシステムの情報を表示させる装置の一例が特許文献１に記載されている。
【０００３】
特許文献１に記載の装置は、プロセッサと、コンピュータプログラムのコードを含むメモリとを備える。この装置は、ナビゲーションイベントが発生している間、ユーザがヘルメットを着用していることを確認する。また、この装置は、ナビゲーションイベントに関連付けられている、ヘルメットに表示するための一連のナビゲーションの通知のセットを決定する。そして、ナビゲーションのセットは、ヘルメットに表示されるために調整される。
【先行技術文献】
【特許文献】
【０００４】
【特許文献１】国際公開第２０１４／０９６５１７号
【発明の概要】
【発明が解決しようとする課題】
【０００５】
例えば、特許文献１に記載の装置によれば、ヘルメットのシールド（バイザー）にナビゲーションの通知を表示させることができる。
ところで、シールドは、ヘルメットにおける視界確保、防風・防雨機能確保、及び開閉動作可能とするものであり、それらの機能確保に必要とされる取り付け態様がヘルメットに規定される。姿勢や身体的特徴に応じて着用者の視野は様々であるが、ヘルメットのシールドを着用者の姿勢や身体的特徴に応じることを目的として自由に調整することは容易ではない。そのため、ＨＭＤ等のスクリーンとしてシールドを利用したとしても、スクリーンに投影される画像が着用者の視野の見やすい位置になるようにシールドの位置を調整することは容易ではない。
【０００６】
本発明は、このような実情に鑑みてなされたものであり、その目的は、ヘルメットにおいてスクリーンの配置位置の調整を容易とすることのできるスクリーン装置、及び当該スクリーン装置を備えたヘルメットを提供することにある。
【課題を解決するための手段】
【０００７】
上記課題を解決するためのスクリーン装置は、ヘルメットで投影された画像を前記ヘルメットで映すコンバイナと、前記ヘルメットのシェルに取り付けられるとともに、前記コンバイナを上下方向に移動可能に、かつ、上下方向に対する前記コンバイナの傾きを変更可能に、前記コンバイナを支持する上下移動機構と、を備える。
【発明の効果】
【０００８】
本発明によれば、ヘルメットにおいてスクリーンの配置位置の調整を容易とすることができる。
【図面の簡単な説明】
【０００９】
【図１】ヘルメットの一実施形態における外観構造を示す側面図。
【図２】ヘルメット内部のディスプレイを構成する機構を示す斜視図。
【図３】スクリーン装置の分解斜視図。
【図４】スクリーン装置の左側面。
【図５】スクリーン装置の背面図。
【図６】スクリーン装置の分解斜視図。
【図７】スクリーン装置の分解斜視図。
【図８】スクリーン装置の配置の態様を示す図であって、（ａ）はスクリーンが高い位置で投影位置に配置された図、（ｂ）はスクリーンが高い位置で非投影位置に配置された図、（ｃ）はスクリーンが低い位置で投影位置に配置された図、（ｄ）はスクリーンが低い位置で非投影位置に配置された図。
【発明を実施するための形態】
【００１０】
以下、ヘルメットを具体化した一実施形態を図１から図８を参照して説明する。
図１が示すように、ヘルメットは、球体状を有したヘルメット１１、シールド１３、一対の支持機構２０を備える。以下では、図１が示すヘルメット１１の状態において、シールド１３の側を前側とし、左側面１２Ｓに一方が図示される一対の支持機構２０が並ぶ方向を左右方向として説明する。
【００１１】
左右で一対の支持機構２０は、ヘルメット１１を構成する外側シェル１２に固定されている。
外側シェル１２は、ヘルメット１１の最外殻である。外側シェル１２を構成する材料の一例は、アクリロニトリル・ブタジエン・スチレン共重合体（ＡＢＳ）、ポリカーボネート（ＰＣ）、および、強化繊維を含浸させた熱硬化性樹脂から選択されるいずれか一種である。外側シェル１２の前面１２Ｆは、前方に向けて開口する開口部１２Ａを備える。開口部１２Ａは、着用者の視界を確保する。外側シェル１２の前面１２Ｆは、開口部１２Ａの下部にチンガード１２Ｇを備える。ヘルメット１１は、いわゆるフルフェイス型のヘルメットである。
【００１２】
シールド１３は、光透過性を有した無色で透明の板部材である。シールド１３は、左右で一対の支持機構２０に回動可能に支持されている。シールド１３は、シールド１３を移動させる操作力を受けて、開位置と閉位置との間で変位する。開位置は、シールド１３が開口部１２Ａを開ける位置である。閉位置は、図１の２点鎖線が示すように、シールド１３が開口部１２Ａを閉じる位置である。シールド１３は、前方から飛来する異物や雨、風がヘルメット１１内に入ることを閉位置において妨げて、着用者の視認性を向上させる。シールド１３を構成する材料は、例えば、ポリカーボネートである。
【００１３】
一対の支持機構２０は、シールド１３の非操作時にシールド１３の位置を保つ。例えば、一対の支持機構２０は、開位置に変位したシールド１３の位置を次回の操作まで開位置に保ち、また、閉位置に変位したシールド１３の位置を次回の操作まで閉位置に保つ。
【００１４】
ヘルメット１１は、最内殻を構成する内側シェルを外側シェル１２の内側に備える。内側シェルを構成する材料は、衝撃を吸収する樹脂であって、例えば、ポリウレタン、および、発泡スチロール樹脂から選択されるいずれか一種である。
【００１５】
ヘルメット１１には、スクリーン装置３０が設けられている。スクリーン装置３０は、開口部１２Ａが区画する空間と開口部１２Ａの上側にある前面１２Ｆとに跨がって配置されている。スクリーン装置３０のなかで、前面１２Ｆにおいて外側シェル１２と内側シェルとの間に挟まれる部分は、外側シェル１２にシェル取付具１４で取り付けられている。
【００１６】
図１に示すように、シェル取付具１４は、外側表面１４ａが、外側シェル１２の外側表面の一部を構成しており、外側シェル１２の外側表面において周囲の表面との間に大きな段差を生じないように配置されている。
【００１７】
図３に示すように、シェル取付具１４は、内側表面に、内側に延設される第１突起１４１ａ、第２突起１４１ｂ、第３突起１４１ｃを備える。シェル取付具１４は、第１突起１４１ａ、第２突起１４１ｂ、第３突起１４１ｃを外側シェル１２を貫通させて、外側シェル１２の内側に配置されるスクリーン装置３０に連結させる。
【００１８】
詳述すると、スクリーン装置３０は、上下移動機構３１と、ヘルメットに投影される画像を映すコンバイナ６０とを備える。上下移動機構３１は、本体部４０と、コンバイナ６０を連結させる支持部５０（図２参照）とを備える。つまり、シェル取付具１４は、各突起１４１ａ，１４１ｂ，１４１ｃを上下移動機構３１の本体部４０に連結させることで、スクリーン装置３０を外側シェル１２に固定する。
【００１９】
第１突起１４１ａは、本体部４０の差し込み孔４７ａに差し込まれ、ねじ等で固定される。第２突起１４１ｂは、本体部４０の貫通孔４８ｂを介して差し込み孔４７ｂに差し込まれ、ねじ等で固定される。第３突起１４１ｃは、本体部４０の貫通孔４８ｃを介して差し込み孔４７ｃに差し込まれ、ねじ等で固定される。上下移動機構３１が外側シェル１２に取り付けられることにより、コンバイナ６０がヘルメット１１に対して適切な相対位置に配置できる。また、コンバイナ６０を外側シェル１２に固定するための構成は、外側シェル１２において、各突起１４１ａ，１４１ｂ，１４１ｃが通される孔で足りる。そのため、機械的な耐性が必要とされる外側シェル１２の構造に大きな変更を強いることなく、コンバイナ６０を外側シェル１２に固定することが可能でもある。
【００２０】
図２に示すように、スクリーン装置３０は、上下移動機構３１がシェル取付具１４を介して外側シェル１２に取り付けられる。上下移動機構３１は、第１部材４１（図３参照）及び第２部材４２（図３参照）により構成される本体部４０に設けられたスライド孔８０に沿って外側シェル１２の上下方向Ｘに位置決め移動可能に支持部５０を備える。
【００２１】
図３に示すように、支持部５０は、図３において下方となる先端５１に弧状レール５３を備える。支持部５０は、弧状レール５３に、コンバイナ６０の被支持部６４をスライド可能に支持している。支持部５０は、コンバイナ６０を、上下方向Ｘへの移動である上下移動可能に、ヘルメット１１の開口部１２Ａに支持する。コンバイナ６０は、画像Ｖ（図５参照）を映す透過型のスクリーンである。画像Ｖは、ヘルメット１１のチンガード１２Ｇ（図２参照）内に配置された投影部２１から投影されて投影口２２から出力される。
【００２２】
コンバイナ６０が上下移動可能に支持されるため、着用者の視野に対してコンバイナ６０を適切な位置に配置することができる。また、スクリーンの配置位置の調整をヘルメットにおいて容易とすることができる。
【００２３】
支持部５０の弧状レール５３は、前後方向Ｙを長手方向として延設されるレール孔５４を有する。レール孔５４は、長手方向に弧を有して延設される曲線状を有する。また、被支持部６４は、扁平状であり、弧状レール５３の有するレール孔５４に、被支持部６４を軸にする旋回不能に嵌め込まれているとともに、レール孔５４を長手方向の円弧状Ｒに沿ってスライド移動する。
【００２４】
レール孔５４は、前後方向Ｙにおける前側からみて、後側下方に向かって湾曲している。弧状レール５３は、扁平状の被支持部６４をレール孔５４に沿ってスライドさせる。この際、被支持部６４の扁平面の角度は、弧状レール５３の曲線状に併せて変わり、被支持部６４を有したコンバイナ６０（投影面６１）の上下方向に対する傾きも変わる。すなわち、コンバイナ６０は、弧状レール５３を前後方向Ｙにスライド移動して、支持部５０に対する相対角度を変更する。
【００２５】
このように、コンバイナ６０の上下移動機構３１に対する相対角度、すなわち、上下方向に対するコンバイナ６０の傾きが変更可能であるため、コンバイナ６０を着用者の視野に対してより適切な位置に配置することができる。
【００２６】
図４に示すように、弧状レール５３は、前側端部５３ｆと後側端部５３ｒとを備える。支持部５０は、前側端部５３ｆと後側端部５３ｒとの間で被支持部６４をスライド移動させて、コンバイナ６０を円弧状Ｒに旋回させる。支持部５０に対するコンバイナ６０の相対角度は、弧状レール５３の中心角（変化角度θ）の範囲で変化する。このとき、コンバイナ６０は、スクリーンである投影面６１が着用者Ｅの視野Ｓに入る第１姿勢ＡＴ１１，ＡＴ１２（図８参照）と、投影面６１が着用者Ｅの視野Ｓに入らない第２姿勢ＡＴ２１，ＡＴ２２（図８参照）との間で、姿勢を変える。第１姿勢ＡＴ１１，ＡＴ１２、及び第２姿勢ＡＴ２１，ＡＴ２２は、投影面６１の支持部５０に対する相対角度が相違することで規定される姿勢である。
【００２７】
コンバイナ６０は、支持部５０に対する相対角度をスライド移動によって変化させて、投影面６１に投影される画像Ｖの位置を、第１姿勢ＡＴ１１，ＡＴ１２と第２姿勢ＡＴ２１，ＡＴ２２との途中で調整可能にする。また、例えば、コンバイナ６０が支持部５０に対しヒンジで支持される構成と比較して、振動による不用意な移動がコンバイナ６０で生じることを抑制できる。
【００２８】
なお、第１姿勢ＡＴ１１，ＡＴ１２は、例えば、図８（ａ），（ｃ）に示す姿勢であって、被支持部６４が前側端部５３ｆに位置するときのコンバイナ６０の姿勢である。一方、第２姿勢ＡＴ２１，ＡＴ２２は、例えば、図８（ｂ），（ｄ）に示す姿勢であって、被支持部６４が後側端部５３ｒに位置するときのコンバイナ６０の姿勢である。すなわち、第２姿勢ＡＴ２１，ＡＴ２２は、被支持部６４を後側端部５３ｒまで後退させて、それによって、コンバイナ６０の前方端部が第１姿勢ＡＴ１１，ＡＴ１２よりも前方に突き出ることを抑える。
【００２９】
図３に示すように、上下移動機構３１は、本体部４０に対する支持部５０の上下方向Ｘへの位置決め移動と、支持部５０に対するレール孔５４に沿った長手方向への円弧状Ｒの移動とがそれぞれ独立して可能である。つまり、支持部５０は、支持部５０が上下方向Ｘで位置決めされる各位置において、コンバイナ６０を円弧状Ｒに移動させて、コンバイナ６０の投影面６１の支持部５０に対する相対角度を変化させる。そして、コンバイナ６０の位置及び角度調節によって、着用者の視野のなかのより適切な位置に画像Ｖを投影することができる。
【００３０】
図４〜図７を参照し、上下移動機構３１及びコンバイナ６０について詳しく説明する。
図４及び図５に示すように、上下移動機構３１は、本体部４０が外側シェル１２の内面に対向する第１部材４１と内側シェルに対向する第２部材４２とが組み合わされて構成されている。第１部材４１は、外面壁４１ａを外側シェル１２の内面に対向させ、第２部材４２は、外面壁４２ａを内側シェルに対向させる。セル各留め部４６が第２部材４２にねじ留めされることによって、第１部材４１と第２部材４２とが組み合わされる。
【００３１】
なお、本体部４０の内部には、ラッチ機構が収納されているが、ラッチ機構は、第２部材４２において、下部範囲４２１に収容可能であって上部範囲４２２は利用しない。そのため、第１部材４１は下部範囲４２１に対応する大きさを有する。すなわち、第２部材４２よりも第１部材４１の方が小さく、第２部材４２の上部範囲４２２には、第１部材４１は組み合わされない。
【００３２】
本体部４０は、上下方向Ｘの下側に、支持部５０が挿通されるスライド口４４Ａを備え、スライド口４４Ａからスライド孔８０（図６参照）に支持部５０が挿通されている。また、本体部４０は、上下方向Ｘの下側に、操作口４３を有する。操作口４３は、解除機構の操作部４５を本体部４０の外部に配置させる。
【００３３】
操作部４５は、本体部４０内部に設置された支持部５０を段階的な位置に固定させるラッチ機構を解除する。操作部４５は、端部に設けられた操作端４５２と、操作端４５２から本体部４０の内部に繋がる第１操作軸４５１とを有し、操作口４３は、第１操作軸４５１が挿通方向に移動可能となっている。操作端４５２は、第１操作軸４５１よりも太い外周を有し、操作口４３に第１操作軸４５１を超えて操作端４５２が挿入できないようになっている。操作端４５２は、開口部１２Ａから入れた着用者の指で操作しやすい端面形状として、前後方向Ｙにおいて、後側が操作口４３に近づく傾斜を有する。
【００３４】
上下移動機構３１は、支持部５０の先端５１に、レール孔５４を有した弧状レール５３を備える。弧状レール５３は、前後方向Ｙに変化角度θの弧を描くレールであり、レール孔５４を水平方向に貫通させるとともに、弧の方向に延びる長孔として有する。弧状レール５３は、レール孔５４を上レール５３ａと下レール５３ｂとの間に形成している。上レール５３ａの弧の内側が、レール孔５４を区画し、下レール５３ｂの弧の外側が、レール孔５４を区画する。
【００３５】
上レール５３ａは、支持部５０の先端５１に連結されて弧状レール５３を支持させる。下レール５３ｂは、レール幅方向中央にレール孔５４まで貫通してレール延長方向に延びる長孔５６を有する。長孔５６には、前側端部５３ｆから後側端部５３ｒまで少なくとも一部がレール孔５４に突出する付勢部５５が掛け渡されている。付勢部５５は、レール孔５４に侵入しているコンバイナ６０の被支持部６４の扁平面を、上レール５３ａに付勢する。これによって、配置位置における保持力が高められて、弧状レール５３におけるコンバイナ６０の配置位置が容易に変化しないようになっている。なお、付勢部５５の上レール５３ａに対向する面は、被支持部６４の扁平面の位置決めを容易にするための溝や凹凸などのように、位置の保持力を高めるざらつき等を有してもよい。
【００３６】
支持部５０は、本体部４０のスライド孔８０（図６参照）に収容されるスライド部を有し、スライド部の側面には、ラッチ用穴５２が所定の間隔で設けられている。支持部５０は、本体部４０のスライド孔８０のなかで、ラッチ用穴５２の間隔で上下方向Ｘへの移動が規制可能になっている。
【００３７】
図５に示すように、コンバイナ６０は、透過型スクリーンである投影面６１と、投影面６１から支持部５０方向に延設される延設部６３とを備える。また、コンバイナ６０は、弧状レール５３のレール孔５４に左右方向に挿通される被支持部６４と、被支持部６４の先端に設けられて被支持部６４がレール孔５４から抜けることを防止する留め端部６５とを備える。
【００３８】
留め端部６５は、レール孔５４を貫通した被支持部６４の先端に差し込まれる穴を有し、穴に差し込まれた被支持部６４の先端を著好方向のねじ穴６６からねじ込まれるねじにより被支持部６４の先端に固定される。延設部６３や留め端部６５は、被支持部６４に対して垂直な面をレール孔５４（図４参照）の開口面に当接させる。これにより、弧状レール５３に取り付けられたコンバイナ６０がレール孔５４に対してがたついたり、スライド移動時に引っ掛かりを生じたりするおそれが低減される。
【００３９】
被支持部６４は、ヘルメット１１の開口部１２Ａから操作される留め端部６５を開口部１２Ａの外方に向けている。また、留め端部６５は、前方から見て前部６６ｂよりも後部６６ａが膨らみ、前方から見て、着用者の指の腹を当てやすい傾斜を有する。これによって、ヘルメット１１の着用者が自身の指でコンバイナ６０の支持部５０に対する位置を調整することが容易になる。
【００４０】
図６及び図７を参照して、ラッチ機構について詳しく説明する。図６と図７は、組み合わされた第１部材４１と第２部材４２とを見開いた状態の図である。なお、位置決め部品９０は、図６及び図７の両方に重複記載してある。本体部４０は、第２部材４２の外側シェル１２側の一部に、第１部材４１が留め部４６のねじ止め等によって組み合わされる。
【００４１】
本体部４０は、第２部材４２の差し込み孔４７ａに、シェル取付具１４の第１突起１４１ａが取り付けられる。また、本体部４０は、第１部材４１の各貫通孔４８ｂ，４８ｃを通り、第２部材４２の各差し込み孔４７ｂ，４７ｃに、シェル取付具１４の第２及び第３突起１４１ｂ，１４１ｃが取り付けられる。
【００４２】
第１部材４１と第２部材４２とは、それらが相互に対向する側の間にラッチ機構を保持する。第１部材４１は、下部範囲４２１に対応する大きさであり、シェル取付具１４の第１突起１４１ａに対応する範囲には広がっていない。ラッチ機構は、本体部４０において、第１部材４１と第２部材４２との間であって、上下方向Ｘにおいて、シェル取付具１４の各突起１４１ａ，１４１ｂ，１４１ｃに干渉しない下側にある下部範囲４２１に配置される。
【００４３】
第１部材４１と第２部材４２とは、中央上下方向にスライド孔８０を備える。スライド孔８０は、下側にスライド口４４Ａを有し、上側にスライド口４４Ｂを有する。スライド孔８０は、第２部材４２内部の内平面８１及び内部ガイド８１Ａ、第２部材４２内部の内部壁面８２，８３、及び、第１部材４１内部の複数のガイド８２Ｃ（図７参照）によって、断面長方形状の通路に区画されている。
【００４４】
スライド孔８０は、スライド口４４Ｂよりも上側に第２部材４２に形成されたスライド溝４４Ｃが連続している。スライド溝４４Ｃは、内部ガイド８１Ａに連続する平面と、内部壁面８２，８３に連続する壁面８７とを有する。第１部材４１のガイド８２Ｃは、第１部材４１の外面壁４１ａから立ち上がって支持部５０の上下移動方向に延設される。ガイド８２Ｃの先端は、スライド口４４Ａを構成する第１部材４１の内平面８２Ａ及び、第１部材４１の内平面８２Ｂと同一平面を形成している。第２部材４２の内部ガイド８１Ａは、第２部材４２の外面壁４２ａから立ち上がった先端面が内平面８１と同一平面を形成している。
【００４５】
本体部４０は、ラッチ機構を収容する収容スペースを有する。
収容スペースは、スライド孔８０に干渉しないように、スライド孔８０の両側の縦スペース、及び、スライド孔８０を挟んだ２つの縦スペースを繋ぐ横スペースを備える。第１部材４１は、２つの縦スペース及び横スペースを兼ねた第１スペース４１１を備える。第１スペース４１１は、ガイド８２Ｃを中央部に配置させ、位置決め部品９０に対応する部分に土台部８５，８６を配置させた枠状の枠形状のスペースである。第２部材４２は、スライド孔８０を挟んだ２つの縦スペースのそれぞれに対応する第２スペース４３２、及び第３スペース４３６を備える。
【００４６】
本体部４０は、第１スペース４１１において、第２スペース４３２と対向する位置、及び第３スペース４３６とが対向する位置には、スライド孔８０に干渉しない広い空間を有する。すなわち、この広い空間が縦スペースである。一方、本体部４０は、第１スペース４１１において、第２スペース４３２又は第３スペース４３６のいずれにも対向しない位置には、スライド孔８０との緩衝を避けた狭い空間を有する。すなわち、この狭い空間が横スペースである。
【００４７】
収容スペースは、操作部４５の一部と、位置決め部品９０とを収容する。位置決め部品９０は、支持部５０のラッチ用穴５２に嵌合する複数の爪９１を有し、内部壁面８２，８３に形成された通路８２１，８３１に対して進退することで爪９１をスライド孔８０に対して進退させる。爪９１は、スライド孔８０に進出することで支持部５０のラッチ用穴５２に嵌合して、支持部５０の上下方向Ｘの位置を固定する。一方、爪９１は、スライド孔８０から退出することで、支持部５０のラッチ用穴５２から離間して、支持部５０の上下方向Ｘの移動を自由にする。
【００４８】
内部壁面８２，８３に形成された通路８２１，８３１は、スライド孔８０に向かって下がる傾斜を有する通路である。位置決め部品９０は、本体９２に対して斜め下方に２つの爪９１を延設させる。収容スペースに配置される本体９２と、２つの爪９１とをつなぐ２つの腕部９３とは、通路８２１，８３１の傾斜に沿う傾斜を有する。２つの腕部９３は、通路８２１，８３１の中央ガイド８２２，８３２で区画されたそれぞれの通路に配設される。
【００４９】
爪９１は、下方に傾斜を有する通路８２１，８３１に腕部９３が配置されているため、支持部５０から下方への力が加わるとスライド孔８０へ引き出されて、ラッチ用穴５２に嵌合して支持部５０の下方への移動を防ぐ。一方で、下方に傾斜を有する通路８２１，８３１に配置された腕部９３に支持される爪９１は、支持部５０から上方への力が加わるとスライド孔８０から押し戻されて、ラッチ用穴５２から離間して支持部５０の上方への移動を許可する。すなわち、位置決め部品９０は、下方に引き出された支持部５０を、上下方向の位置固定しつつも、上方に移動可能にしている。よって、支持部５０に連結されているコンバイナ６０は、位置調整が下方から上方に押し上げることで容易に行えるようになる。
【００５０】
操作部４５は、操作端４５２に連結されている第１操作軸４５１と、スライド孔８０を挟んで第１操作軸４５１の反対側に配置される第２操作軸４５６と、第１操作軸４５１と第２操作軸４５６とを横スペースを介して連結する下側連結杆４５４と、上側連結杆４５５とを備える。下側連結杆４５４は、第１操作軸４５１の収容スペース内下端と第２操作軸４５６の下端とを連結し、上側連結杆４５５は、第１操作軸４５１の上端と第２操作軸４５６の上端とを連結する。
【００５１】
操作端４５２が押されて第１操作軸４５１が上に移動すると、上側連結杆４５５及び下側連結杆４５４で接続される第２操作軸４５６も上に移動する。なお、第１操作軸４５１の上端、及び第２操作軸４５６の上端にはそれぞれ収容スペースの上面との間に設けられて各上端を下方に付勢するバネ４９Ｂが設けられている。バネ４９Ｂは、収容スペースの状部に設けられている配置穴４９１，４９２に配置されて下方に位置する第１操作軸４５１の上端又は第２操作軸４５６の上端をそれぞれ下方に付勢する。よって、通常、第１操作軸４５１及び第２操作軸４５６は、収容スペースの下部に配置され、操作端４５２を外部操作で押し上げることによって、付勢に抗して収容スペースの上部に配置される。
【００５２】
第１操作軸４５１は、位置決め部品９０の本体９２を上下方向に挟み込む挟み込み部４５３を有する。第２操作軸４５６は、位置決め部品９０の本体９２を上下方向に挟み込む挟み込み部４５７を有する。
【００５３】
第１操作軸４５１や第２操作軸４５６が収容スペースの下部に配置されているとき、位置決め部品９０は、下方に傾斜する通路８２１，８３１に腕部９３を押し込み、爪９１をスライド孔８０に進出させて、支持部５０の上下方向Ｘにおける位置を固定する。反対に、操作端４５２が外部操作により押し上げられて第１操作軸４５１や第２操作軸４５６が収容スペースの上部に配置されているとき、位置決め部品９０は、下方に傾斜する通路８２１，８３１から腕部９３を引き出し、爪９１をスライド孔８０から退出させて、支持部５０の上下方向Ｘへの上下移動を可能にする。
【００５４】
上述したように、上下移動機構３１がラッチ機構により固定されているため、振動による上下移動がコンバイナ６０において抑制されて、コンバイナ６０の調整位置が保持される。また、ラッチ機構に対する外部操作でコンバイナ６０の上下移動が可能になる。
【００５５】
なお、本実施形態では、ラッチ機構は、収容スペースと、操作部４５と、位置決め部品９０とから構成されている。
図８を参照して、本実施形態の作用及び効果について説明する。
【００５６】
図８（ａ）に示すように、スクリーン装置３０は、支持部５０に保持された第１姿勢ＡＴ１１にあるコンバイナ６０の上下方向Ｘの高さを、上下移動機構３１に対する支持部５０の上下移動により、着用者Ｅの視野Ｓの高さＬ１に合わせることができる。
【００５７】
図８（ｃ）に示すように、着用者Ｅの視野Ｓの高さＬ２が着用者Ｅの視野Ｓの高さＬ１よりも低いとき、上下移動機構３１に対する支持部５０の下移動により、第１姿勢ＡＴ１２にあるコンバイナ６０の上下方向Ｘの高さを、着用者Ｅの視野Ｓの高さＬ２に合わせることができる。
【００５８】
図８（ｂ）に示すように、支持部５０に保持された第１姿勢ＡＴ１１にあるコンバイナ６０の相対角度を変化させることができる。ここでは、弧状レール５３の前後方向Ｙへのスライド移動により、コンバイナ６０の姿勢を着用者Ｅの視野Ｓから外す第２姿勢ＡＴ２１とすることができる。これにより、高さ方向に係る上下移動を行うことなく、高さＬ１を維持しつつ、第１姿勢ＡＴ１１を第２姿勢ＡＴ２１に変更することができる。よって、画像が不要なとき、画像に煩わされない視野Ｓが確保されるようになる。反対に、画像が必要なとき、第２姿勢ＡＴ２１を第１姿勢ＡＴ１１に変更することで画像を含む視野Ｓが確保されるようになる。
【００５９】
図８（ｄ）に示すように、着用者Ｅの視野Ｓが高さＬ２であるときであれ、支持部５０にコンバイナ６０の第１姿勢ＡＴ１２を、着用者Ｅの視野Ｓから外す第２姿勢ＡＴ２２とすることができる。これにより、高さ方向に係る上下移動を行うことなく、高さＬ２を維持しつつ、第１姿勢ＡＴ１２を第２姿勢ＡＴ２２に変更し、画像に煩わされない視野Ｓが確保されるようになる。逆に、画像が必要なとき、第２姿勢ＡＴ２２を第１姿勢ＡＴ１２に変更することで画像を含む視野Ｓが確保されるようになる。
【００６０】
本実施形態によれば、ヘルメット１１の着用者の視野Ｓのうちの適切な位置に投影部２１の投影した画像が映されるようになる。
上記実施形態によれば、以下に列挙する効果が得られる。
【００６１】
（１）ヘルメット１１内においてコンバイナ６０がヘルメット１１の開口部１２Ａで上下移動可能に支持されるため、着用者の視野Ｓに対してコンバイナ６０を適切な位置に配置することができる。これにより、ヘルメット１１においてコンバイナ６０の配置位置の調整を容易とすることができる。また、コンバイナ６０の移動方向が上下方向Ｘであるため、着用者のヘルメットの着脱において、着用者の頭部がコンバイナ６０と干渉することが抑制可能でもある。
【００６２】
（２）上下移動機構３１が外側シェル１２に取り付けられるため、着用者の視野Ｓに対してコンバイナ６０を適切な位置に配置することに加えて、コンバイナ６０の調整位置の保持が容易ともなる。
【００６３】
（３）コンバイナ６０は、上下移動機構３１に対する相対角度が変更可能であるから、着用者の視線方向に対しコンバイナ６０をより適切な角度で配置することができるようになる。
【００６４】
（４）上下移動と相対角度の変更とが別々に可能であるため、コンバイナ６０の位置及び角度を調節して、着用者の視野Ｓの適切な位置に画像を投影することができる。
（５）コンバイナ６０はスライド移動により相対角度を第１姿勢ＡＴ１１，ＡＴ１２と第２姿勢ＡＴ２１，ＡＴ２２との間で調整可能にする。また、例えば、ヒンジによる支持に比較して、振動による不用意な移動が抑制されるようになる。
【００６５】
（６）上下移動機構３１がラッチ機構により固定されているため、振動による上下移動が抑制されて、コンバイナ６０の調整位置が保持される。また、ラッチ機構に対する外部操作で上下移動が可能になる。
【００６６】
（７）コンバイナ６０を第１姿勢ＡＴ１１，ＡＴ１２にするときに、被支持部６４を前側端部５３ｆ（第１位置）に配置させて、コンバイナ６０を第２姿勢ＡＴ２１，ＡＴ２２にするとき、被支持部６４を後側端部５３ｒ（第２位置）に配置させる。そのため、コンバイナ６０を使用しないときなど、第２姿勢ＡＴ２１，ＡＴ２２のコンバイナ６０が第１姿勢ＡＴ１１，ＡＴ１２よりも前側に突き出ることが抑制され、シールド１３とコンバイナ６０とが干渉することも抑制される。
【００６７】
上記実施形態は、以下のように変更して実施することができる。上記実施形態及び以下の変更例は、技術的に矛盾しない範囲で互いに組み合わせて実施することができる。
・位置決め部品９０は、スライド孔８０を挟む両側に位置する構成に限らず、例えば、スライド孔８０を挟む両側のうちの一方側にのみ位置する構成に具体化可能である。この構成においても、上記（１）から（７）に準じた効果を得ることは可能であって、かつ、１体の位置決め部品９０、および、その位置決め部品９０を機能させるためのバネ４９Ｂを省略することが可能ともなる。さらに、位置決め部品９０を配置するための本体部４０の構造を簡略化すること、および、本体部４０そのものの大きさを小型化することが可能ともなる。本体部４０の小型化は、本体部４０を固定するための外側シェルの削り量、あるいは、本体部４０を配置するための衝撃吸収ライナーの削り量が抑制可能であるから、ヘルメット自体の衝撃性能が支持機構の搭載によって低下することが抑制可能でもある。
【００６８】
・コンバイナは、弧状レールに沿って前方に移動されることでコンバイナが視野から外れる姿勢になってもよい。例えば、弧状レールが前方上方に湾曲していれば、前方移動でコンバイナを視野Ｓから外れる姿勢にすることができる。
【００６９】
・コンバイナは、支持部に対する相対角度を変更可能であれば、支持部との連結支持が、弧状レール以外の構造、例えば、ヒンジ等であってもよい。
・ヘルメットにスクリーン装置を適切に配置することができるのであれば、スクリーン装置が、外側シェル以外のヘルメットを構成する部材、例えば、外側シェルの内側に配置されるＥＰＳライナーに取り付けられてもよい。
【符号の説明】
【００７０】
ＡＴ１１，ＡＴ１２…第１姿勢、ＡＴ２１，ＡＴ２２…第２姿勢、Ｓ…視野、Ｖ…画像、１１…ヘルメット、１２…外側シェル、１２Ａ…開口部、２１…投影部、３０…スクリーン装置、３１…上下移動機構、４０…本体部、５０…支持部、６０…コンバイナ、６１…投影面、６４…被支持部、８２１，８３１…通路。
【図１】
2020100906.tif 000003
【図２】
2020100906.tif 000004
【図３】
2020100906.tif 000005
【図４】
2020100906.tif 000006
【図５】
2020100906.tif 000007
【図６】
2020100906.tif 000008
【図７】
2020100906.tif 000009
【図８】
2020100906.tif 000010